(57)【要約】【課題】停電時等でも異常検出や通報を行うことができる換気システムの提供。【解決手段】この換気システムは、換気手段である建物の換気を行うための換気手段と、火災、防犯、音の少なくともいずれかの異常を検知する検知手段と、異常を通報する通報手段と、換気手段に給電する第１の電力供給手段と、前記検知手段及び前記通報手段に給電する第２の電力供給手段とを、備えたことを特徴とする。【選択図】  図１
2006336982.tif 000002
【特許請求の範囲】
【請求項１】
建物の換気を行うための換気手段と、火災、防犯、音の少なくともいずれかの異常を検知する検知手段と、前記異常を通報する通報手段と、前記換気手段に給電する第１の電力供給手段と、前記検知手段及び前記通報手段に給電する第２の電力供給手段とを、備えたことを特徴とする換気システム。
【請求項２】
建物の換気を行うための換気手段と、火災、防犯、音の少なくともいずれかの異常を検知する検知手段と、前記異常を通報する通報手段と、前記換気手段に給電する第１の電力供給手段とを備え、前記検知手段及び前記通報手段に、前記第１の電力供給手段と第２の電力供給手段とを選択して接続可能とされていることを特徴とする換気システム。
【請求項３】
請求項１、２のいずれかの換気システムにおいて、前記第１の電力供給手段は電灯線から供給される交流電流であり、前記第２の電力供給手段は電池であることを特徴とする換気システム。
【発明の詳細な説明】
【技術分野】
【０００１】
本発明は、建物の換気を行う換気システムに関し、特に防災機能を付加した換気システム及びこれを備えた住宅構造に関する。
【背景技術】
【０００２】
従来、火災報知器を備えた排気装置としては「調理用排気装置」が開示されている。この「調理用排気装置」は、「調理器を配置した調理器台の後方上部に設けた通風路と、この通風路が接続される排気送風機と、前記通風路内の温度を検知する温度検知手段と、この温度検知手段が所定温度以上を検知したとき、前記調理器の加熱を停止する制御手段を備えた」ものである。
【特許文献１】特公平６−３３０９号公報
【発明の開示】
【発明が解決しようとする課題】
【０００３】
しかしながら、上述の調理用排気装置では、キッチンの調理器台における異常加熱を検知することには充分機能するが、居間或いは各居室等における火災検知はできないという問題がある。
【０００４】
本発明は、このような問題に着目してなされたものであり、建物の火災や不法侵入等の異常事態を検知可能な換気システムを提供することを目的とする。
【課題を解決するための手段】
【０００５】
上記課題を解決するために、本願の第１の換気システムは、建物の換気を行うための換気手段と、火災、防犯、音の少なくともいずれかの異常を検知する検知手段と、前記異常を通報する通報手段と、前記換気手段に給電する第１の電力供給手段と、前記検知手段及び前記通報手段に給電する第２の電力供給手段とを、備えたことを特徴とする。
【０００６】
本願の第２の換気システムは、建物の換気を行うための換気手段と、火災、防犯、音の少なくともいずれかの異常を検知する検知手段と、前記異常を通報する通報手段と、前記換気手段に給電する第１の電力供給手段とを備え、前記検知手段及び前記通報手段に、前記第１の電力供給手段と第２の電力供給手段とを選択して接続可能とされていることを特徴とする。
【０００７】
本願の第３の換気システムは、請求項１、２のいずれかの換気システムにおいて、前記第１の電力供給手段は電灯線から供給される交流電流であり、前記第２の電力供給手段は電池であることを特徴とする。
【発明の効果】
【０００８】
本願の第１の換気システムによれば、建物の換気を行うための換気手段と、火災、防犯、音の少なくともいずれかの異常を検知する検知手段と、前記異常を通報する通報手段と、前記換気手段に給電する第１の電力供給手段と、前記検知手段及び前記通報手段に給電する第２の電力供給手段とを備えたので、電力供給系統を変えて建物の火災や不法侵入等の異常事態を検知可能となる。
【０００９】
また、第２の電力供給手段は蓄電池、乾電池等の直流の電源設備の他に、太陽光発電や風力発電等の自然エネルギー発電装置などの交流電源も用いることができる。この第２の電力供給手段は、換気装置に設置しても良いが、建物の壁などに電源ユニットとして設置し、この電源ユニット側から検知手段及び通報手段に電力を供給して、電池の点検交換を容易にしても良い。
【００１０】
また、電源ユニットに液晶表示部やＬＥＤ等を用いて換気装置の各部品や検知手段或いは通報手段或いは電源ユニット等の交換時期等の表示をしたり、換気システムの操作説明或いは現在状況等を表示するようにしても良い。
【００１１】
更に、検知手段は、臭気、火災、ガス等の検知の他に、漏電、湿度、温度の検出や侵入者等の検出を行っても良い。通報手段は、警報音の鳴動装置（例えば、ベル、アンプ、スピーカ）の他に、携帯電話或いは無線通信機、有線通信機を用いても良い。このような通信手段を用いることにより、電話回線や通信回線と接続して、携帯電話やコンピュータ等と接続して所定の接続許可条件（暗証番号、パスワード等の照合）を満たしたときに限って外部から換気状態や屋内の異常監視・通報或いは換気制御・温度制御・戸締まり制御及び通報等を行うことができる。
【００１２】
本願の第２の換気システムによれば、検知手段及び通報手段は、第１の電力供給手段若しくは第２の電力供給手段の何れかに選択可能に接続され、通常時は第１の電力供給手段から検知手段及び通報手段に電力を供給し、停電や万一の火災等により第１の電力供給手段の電力遮断が発生したときは、第２の電力供給手段が検知手段と通報手段に電力を供給し、異常の検知と通報を行うことができる。
【００１３】
本願の第３の換気システムによれば、前記第１の電力供給手段は電灯線から供給される交流電流であり、前記第２の電力供給手段は電池であるので、設備の構成が容易であり、コストもかからない。電池は乾電池や二次電池を使用できる。電池を収納するケースには電池の消耗時期を知らせるために電池交換時期を示すＬＥＤや液晶表示器を設けるのが好ましい。
【発明を実施するための最良の形態】
【００１４】
以下、本発明を実施するための最良の形態を図面を用いて説明する。この実施の形態において、換気装置は換気システムの一部であり、換気システムは換気装置を含むものである。図１はこの実施の形態にかかる換気装置１に異常検知手段としての感熱センサ１１を設置した例を示す。この換気システムでは、換気手段となる換気装置１と、外気導入ダクト２、外気供給ダクト３、第１排気ダクト４、第２排気ダクト５、給気グリル９、排気グリル１０、感熱センサ１１と、ブザー１２とによって構成される。
【００１５】
換気装置１は、２４時間換気を行うものである。換気装置１には、外気を建物内に導入する外気導入ダクト２と、換気装置１内部に導入した外気を建物の各室内に供給する外気供給ダクト３と、各室内の空気を排気するための第１排気ダクト４と、換気装置１内部に導入した室内空気を建物外部に排気する第２排気ダクト５とが接続されている。
【００１６】
換気装置１の構成は後述するが、内部に、外気導入ダクト２と外気供給ダクト３とを結ぶ外気導入用の導入風路６と、第１排気ダクト４と第２排気ダクト５とを結ぶ排気風路７とを備えている。導入風路６及び排気風路７には送風機Ｆ１、Ｆ２がそれぞれ配備されている。導入風路６及び排気風路７には、外気と排気する室内空気との間で熱交換を行う熱交換器Ａが配備されている。
【００１７】
外気が供給される室内Ｒ１，Ｒ２の天井部８には、給気グリル９と排気グリル１０が設置されている。給気グリル９は、外気供給ダクト３に接続され、排気グリル１０は第１排気ダクト４に接続されている。
【００１８】
給気グリル９の内部には、火災のときの熱を検知する異常検知手段としての感熱センサ１１と、火災が発生したことを通報する通報手段としてのブザー１２とが、設置されている。感熱センサ１１は、一例として、温度センサ若しくは赤外線センサが用いられる。
【００１９】
感熱センサ１１やブザー１２（通報手段）は、電池（第２の電力供給手段）が接続され、この電池から感熱センサ１１やブザー１２に電力が供給されるので、万一停電などが発生しても、電池から感熱センサ１１やブザー１２に電力が供給されるので、異常監視や異常通報が継続される。尚、感熱センサ１１やブザー１２への電力供給は、電池（第２の電力供給手段）でなくても良く、家庭用電源からの供給（第１の電力供給手段）、例えば、外気供給ダクト３の内部壁面若しくは外部壁面に沿って設置された電灯線によって、換気装置１の電源基板と接続され、換気装置１から供給されるようにしても良く、更に、電池（第２の電力供給手段）と家庭用電源（第１の電力供給手段）とを切り換えて電力を供給するようにしても良い。
【００２０】
感熱センサ１１は、例えば、部屋Ｒ１にて火災が発生した場合に、検知した温度が所定値より高く、所定値以上の温度の検知時間が所定時間より長い場合に、ブザー１２を鳴らして、警報を発する。換気装置１は２４時間換気を行うものであるために、常時異常を監視・通報できる。
【００２１】
建物の異常を監視するための検知手段として、感熱センサ１１の他に、人体センサ（焦電センサ）を設け、留守中や、就寝中において人のいない部屋の監視をして、通報（建物内の通報若しくは建物外部への通報を含む）も良い。また、検知手段としてＣＣＤカメラ等を設置し、データ通信手段を用いると、遠隔地点でも火災状況や不法侵入者の状況を把握できる。通報は、音声によるほかに、データ通信によるものでも良い。
【００２２】
この換気システムを構成する換気装置１は、感熱センサ１１（検知手段）と、ブザー１２（通報手段）とを備えるので、換気装置１（換気手段）自身にファンモータを駆動する電源回路（第１の電力供給手段）があり、感熱センサ１１と、ブザー１２には電池（第２の電力供給手段）が接続され、この電池から感熱センサ１１やブザー１２に電力が供給されるので、万一、停電などが発生しても、電池から感熱センサ１１やブザー１２に電力が供給されるので、異常監視や異常通報が継続される。
【００２３】
図１１は、この換気装置１に設けられる異常通報回路２００を示す。この異常通報回路２００は、第２の電力供給手段としての乾電池（二次電池でも良い）２０１と、乾電池２０１と商用電源２０２との切換手段としてのスイッチ２０３と、感熱センサ等の異常検知センサ２０４と、ブザー１２とにより構成される。
【００２４】
換気装置１は、第１の電力供給手段としての商用電源２０２から交流電力が供給される。換気装置１の電源回路には換気用のファンを回転させるファンモータＭと異常通報回路２００のトランス２０５が接続されている。トランス２０５の二次側端子には全波整流器２０６が接続され、全波整流器２０６の出力端子には平滑コンデンサ２０７と出力端子Ａ１，Ａ２が接続されている。
【００２５】
出力端子の正極Ａ１にはスイッチ２０３の可動接点２０３Ａが接触導通可能とされている。スイッチ２０３の共通接点には異常検知センサ２０４とブザー１２が並列に接続されている。スイッチ２０１の他方の接点は電池２０１の正極に接続されており、可動接点２０３Ａの選択・切換により電池２０１から給電したり、全波整流器２０６の正極Ａ１から給電したり、選択可能とされている。この選択は手動で行っても良いが、換気装置１の制御装置からの制御により、可動接点２０３Ａの接続端子を切り換えることも可能である。
【００２６】
異常検知センサ２０４及びブザー１２の他方の端子は乾電池２０１の負極が接続されている。異常検知センサ２０４の出力端子は図示しないフォトカプラを用いたリレー回路やマイコン等に接続されており、このリレー回路やマイコンよってスイッチ２０８を閉じて乾電池２０１を用いた直流回路を形成する。２０９は換気装置１のメインスイッチ、２１０はヒューズである。
【００２７】
この換気装置１では、異常検知センサ２０４が異常を検知したら、前述のマイコンやリレー回路２１１によってスイッチ２０８を閉じてブザー１２を鳴らす。尚、前述の家庭用電源の出力端子Ａ１，Ａ２と乾電池２０１からの供給される電流をスイッチ２０３で切り換えることができ、停電等によって換気装置１への給電が遮断された場合においても、手動又は自動により乾電池２０３からの電力供給により異常検出と通報を行うことができる。
【００２８】
尚、この異常監視通報回路２００は換気装置１の外部に設けても良い。この場合は換気装置１から電源を取り出し、図示しないコネクタで結線する。従って、屋内の壁面等に設置することも可能であり、電池の交換が容易である。
【００２９】
この換気システムによれば、停電や万一の火災等により換気装置１側からの電力遮断が発生しても、乾電池２０１（第２の電力供給手段）が異常検知センサ２０４（検知手段）とブザー１２（通報手段）に電力を供給しており、異常の検知と通報を行うことができる。
【００３０】
また、第２の電力供給手段は蓄電池、乾電池等の直流の電源設備の他に、太陽光発電や風力発電等の自然エネルギー発電装置などの交流電源も用いることができる。この第２の電力供給手段は、換気装置に設置しても良いが、建物の壁などに電源ユニットとして設置し、この電源ユニット側から検知手段及び通報手段に電力を供給して、電池の点検交換を容易にしても良い。
【００３１】
また、電源ユニットに液晶表示部やＬＥＤ等を用いて換気装置の各部品や検知手段或いは通報手段或いは電源ユニット等の交換時期等の表示をしたり、換気システムの操作説明或いは現在状況等を表示するようにしても良い。
【００３２】
更に、検知手段は、臭気、火災、ガス等の検知の他に、漏電、湿度、温度の検出や侵入者等の検出を行っても良い。通報手段は、警報音の鳴動装置（例えば、ベル、アンプ、スピーカ）の他に、携帯電話或いは無線通信機、有線通信機を用いても良い。このような通信手段を用いることにより、電話回線や通信回線と接続して、携帯電話やコンピュータ等と接続して所定の接続許可条件（暗証番号、パスワード等の照合）を満たしたときに限って外部から換気状態や屋内の異常監視・通報或いは換気制御・温度制御・戸締まり制御及び通報等を行うことができる。
【００３３】
また、異常検知センサ２０４（検知手段）及びブザー１２（通報手段）は、換気装置１の電源回路（第１の電力供給手段）若しくは乾電池２０１（第２の電力供給手段）の何れかに選択可能に接続され、通常時は換気装置１（第１の電力供給手段）から異常検知センサ２０４及びブザー１２に電力を供給できる。
【００３４】
尚、この換気装置１は、検知手段としての感熱センサ１１を換気装置の屋外の空気を建物内に供給する給気口部である給気グリル９に設置したので、建物各部屋における火災、侵入者を集中的に監視できる。感熱センサ１１に代えて煙センサ２を設けても良い。
【実施例】
【００３５】
（第２の実施の形態）
図２は第２の実施の形態にかかる換気システムを示す。この換気システムは、換気手段となる換気装置１と、外気導入ダクト２、外気供給ダクト３、第１排気ダクト４、第２排気ダクト５、給気グリル９、排気グリル１０、感熱センサ１１と、ブザー１２とによって構成されるものであることは、図１のものと同様である。
【００３６】
換気装置１には、外気を建物内に導入する外気導入ダクト２と、換気装置１内部に導入した外気を建物の各室内に供給する外気供給ダクト３と、各室内の空気を排気するための第１排気ダクト４と、換気装置１内部に導入した室内空気を建物外部に排気する第２排気ダクト５とが接続されている。
【００３７】
換気装置１の内部には、外気導入ダクト２と外気供給ダクト３とを結ぶ外気導入用の導入風路６と、第１排気ダクト４と第２排気ダクト５とを結ぶ排気風路７とが備えられている。導入風路６及び排気風路７には送風機Ｆ１、Ｆ２がそれぞれ配備されている。導入風路６及び排気風路７には、外気と排気する室内空気との間で熱交換を行う熱交換器Ａが配備されている。
【００３８】
外気が供給される室内Ｒ１，Ｒ２の天井部８には、給気グリル９と排気グリル１０が設置されている。給気グリル９は、外気供給ダクト３に接続され、排気グリル１０は第１排気ダクト４に接続されている。
【００３９】
この実施の形態では、排気グリル１０に、火災のときの熱を検知する異常検知手段としての感熱センサ１１と、火災が発生したことを通報する通報手段としてのブザー１２とが、設置されている。感熱センサ１１は、一例として、温度センサ若しくは赤外線センサが用いられ、感熱センサ１１及びブザー１２（通報手段）は、電池（第２の電力供給手段）が接続され、この電池から感熱センサ１１やブザー１２に電力が供給されるので、万一停電などが発生しても、電池から感熱センサ１１やブザー１２に電力が供給されるので、異常監視や異常通報が継続される。
【００４０】
なお、感熱センサ１１やブザー１２への電力供給は、電池（第２の電力供給手段）でなくても良く、家庭用電源（第１の電力供給手段）からの供給、例えば、外気供給ダクト３の内部壁面若しくは外部壁面に沿って設置された電灯線によって、換気装置１の電源基板と接続され、換気装置１から供給される用にしても良く、更に、電池（第１の電力供給手段）と家庭用電源（第２の電力供給手段）とを切り換えて電力を供給しても良い。
【００４１】
排気グリル１０の異常検知手段は、煙センサ、臭いセンサ等であっても良く、排気風路７にこのような煙センサや臭いセンサを設置することによって、部屋Ｒ１、Ｒ２などの複数の部屋がある場合に、どこの煙センサ或いは臭いセンサが異常を検出したかを特定することにより、異常の発生場所を容易に明らかにできる。
【００４２】
感熱センサ１１は、例えば、部屋Ｒ１にて火災が発生した場合に、検知した温度が所定値より高く、所定値以上の温度の検知時間が所定時間より長い場合に、ブザー１２を鳴らして、警報を発する。
【００４３】
建物の異常を監視するための検知手段として、感熱センサ１１の他に、人体センサ（焦電センサ）を設け、留守中や、就寝中において人のいない部屋の監視をして、通報（建物内の通報若しくは建物外部への通報を含む）も良い。また、検知手段としてＣＣＤカメラ等を設置し、データ通信手段を用いると、遠隔地点でも火災状況や不法侵入者の状況を把握できる。通報は、音声によるほかに、データ通信によるものでも良い。
（第３の実施の形態）
図３は、第３の実施の形態にかかる換気システムを示す。この実施の形態の換気システムでは、図１の換気システムと同様に、換気手段となる換気装置１と、外気導入ダクト２、外気供給ダクト３、第１排気ダクト４、第２排気ダクト５、給気グリル９、排気グリル１０、煙センサ１１ａと、ブザー１２とによって構成される。
【００４４】
換気装置１には、外気を建物内に導入する外気導入ダクト２と、換気装置１内部に導入した外気を建物の各室内に供給する外気供給ダクト３と、各室内の空気を排気するための排気開口部２０と、換気装置１内部に導入した室内空気を建物外部に排気する排気ダクト５とが接続されている。
【００４５】
換気装置１が設置される建物の天井部８には、排気口２１が開口されており、この排気口２１に排気開口部２０が臨んで開口している。排気口２１には、部屋Ｒ１、Ｒ２のドアの下側に設けられたアンダーカット部Ｕ等の開口部から部屋Ｒ１、Ｒ２の空気が吸い込まれるようになっている。
【００４６】
換気装置１の内部には、外気導入ダクト２と外気供給ダクト３とを結ぶ外気導入用の導入風路６と、排気開口部２０からの空気を排気ダクト５に運ぶ排気風路７とが備えられている。図２の排気風路７は換気装置１の側壁部にも開放可能とされているが、図２の排気風路７では、図１の第１排気ダクト４に相当するダクトジョイント部分がカバーにより閉鎖されている。
【００４７】
導入風路６及び排気風路７には送風機Ｆ１、Ｆ２がそれぞれ配備されている。導入風路６及び排気風路７には、外気と排気する室内空気との間で熱交換を行う熱交換器Ａが配備されている。
【００４８】
外気が供給される室内Ｒ１，Ｒ２の天井部８には、給気グリル９のみが設置されており、図１の排気グリル１０は設置されていない。これは、換気装置１が排気開口部２０から室内空気を吸い込むときに、室内の部屋Ｒ１、Ｒ２のドアの下側に設けられたアンダーカット部Ｕ等の開口部から空気を吸い込んで排気するためである。給気グリル９は、外気供給ダクト３に接続されている。
【００４９】
排気開口部２０の内部には、火災のときの煙を検知する火災（異常）検知手段としての煙センサ１１ａと、火災が発生したことを通報する通報手段としてのブザー１２とが、設置されている。
【００５０】
煙センサ１１ａ及びブザー１２（通報手段）は、電池（第２の電力供給手段）に接続され、この電池から煙センサ１１ａやブザー１２に電力が供給されるので、万一停電などが発生しても、電池から煙センサ１１ａやブザー１２に電力が供給されるので、異常監視や異常通報が継続される。
【００５１】
なお、煙センサ１１ａやブザー１２への電力供給は、電池（第２の電力供給手段）でなくても良く、家庭用電源（第１の電力供給手段）からの供給、例えば、外気供給ダクト３の内部壁面若しくは外部壁面に沿って設置された電灯線によって、換気装置１の電源基板と接続され、換気装置１から供給される用にしても良く、更に、電池（第１の電力供給手段）と家庭用電源（第２の電力供給手段）とを切り換えて電力を供給しても良い。
【００５２】
本システムは２４時間常時駆動されているため、煙センサ１１ａは、例えば、部屋Ｒ１にて火災が発生した場合に、検知した煙の濃度が所定値より高く、所定値以上の濃度の検知時間が所定時間より長い場合に、ブザー１２を鳴らして、警報を発する。
【００５３】
給気グリル９から吹き出された空気は、ドアの下側に設けられたアンダーカット部Ｕやガラリを通して排気開口部２０に戻されるため、この排気開口部２０に煙センサ１１ａを設けることにより、煙センサ１１ａが設置された室内以外での火災においても空気の流れによって、この煙センサ１１ａによって検知できる。本換気システムは２４時間駆動しているのが通常であるので、各部屋全てにセンサを設置しなくても、常時火災を検知できるようになっている。給気グリル（給気口）に温度センサ、赤外線センサなどから鳴る感熱センサを設け、火災発生時に給気口が設置される部屋の検知温度が所定値より高くなった場合にブザー１２を慣らすようにしても良い。
（第４の実施の形態）
図４は、第４の実施の形態にかかる換気システムを示す。この実施の形態の換気システムでは、図１の換気システムと同様に、換気手段となる換気装置１と、外気導入ダクト２、外気供給ダクト３、第１排気ダクト４、第２排気ダクト５、給気グリル９、排気グリル１０、煙センサ１１ａ、感熱センサ１１ｂと、ブザー１２とによって構成される。
【００５４】
換気装置１には、外気を建物内に導入する外気導入ダクト２と、換気装置１内部に導入した外気を建物の各室内に供給する外気供給ダクト３と、各室内の空気を排気するための排気開口部２０と、換気装置１内部に導入した室内空気を建物外部に排気する排気ダクト５とが接続されている。
【００５５】
換気装置１が設置される建物の天井部８には、排気口２１が開口されており、この排気口２１に排気開口部２０が臨んで開口している。排気口２１及び排気グリル１０には、部屋Ｒ１、Ｒ２のドアの下側に設けられたアンダーカット部Ｕ等の開口部から部屋Ｒ１、Ｒ２の空気が吸い込まれるようになっている。
【００５６】
排気口１０は、居間や寝室など人がいる時間が長く、換気が必要な部屋に設けられるようになっている。
【００５７】
換気装置１の内部には、外気導入ダクト２と外気供給ダクト３とを結ぶ外気導入用の導入風路６と、排気開口部２０からの空気を排気ダクト５に運ぶ排気風路７とが備えられている。
【００５８】
導入風路６及び排気風路７には送風機Ｆ１、Ｆ２がそれぞれ配備されている。導入風路６及び排気風路７には、外気と排気する室内空気との間で熱交換を行う熱交換器Ａが配備されている。
【００５９】
外気が供給される室内Ｒ１，Ｒ２の天井部８には、給気グリル９が設置されており、図１の排気グリル１０は全ての部屋には設置されていない。これは、換気装置１が排気開口部２０から室内空気を吸い込むときに、室内の部屋Ｒ１、Ｒ２の戸の下部のアンダーカット部Ｕなどの開口部から空気を吸い込んで排気するためである。給気グリル９は、外気供給ダクト３に接続され、排気グリル１０は第１排気ダクト４に接続されている。
【００６０】
この実施の形態にかかる換気システムは、複数の室内を連続的又は断続的に２４時間換気を行う換気システムであって、建物内に配置された給気口から室内に給気し、給気された室内空気を循環させて、前記室内空気吸込口に集められるようにし、前記室内空気の吸込口に煙を検知する煙センサ等の火災検知手段（異常検知手段）を備えたことを特徴とする換気システムである。
【００６１】
このような構成を採用することによって、複数の室内の全てに火災検知手段を設けなくても、火災発生時には、煙が発生し、発生した室内に火災検知器がなくても、発生した煙が、ドアの下側に設けられたアンダーカット等のすき間を通して、室内空気と一緒に室内空気吸込口に向かって流れるため、室内空気吸込口に設けた煙センサ等からなる火災検知手段で火災を検知できる。本換気システムは連続的又は断続的に常時駆動しているため、安価に火災を検知できる。
【００６２】
排気開口部２０の内部には、火災のときの煙を検知する異常検知手段としての煙センサ１１ａが、設置されている。又、給気口部の給気グリルには感熱センサ１１ｂが設置されている。
【００６３】
感熱センサ１１ｂは、一例として、温度センサ若しくは赤外線センサが用いられる。感熱センサ１１ｂ及びブザー１２（通報手段）は、電池（第２の電力供給手段）に接続され、この電池から感熱センサ１１ｂやブザー１２に電力が供給されるので、万一停電などが発生しても、電池から感熱センサ１１ｂやブザー１２に電力が供給されるので、異常監視や異常通報が継続される。
【００６４】
なお、感熱センサ１１ｂやブザー１２への電力供給は、電池（第２の電力供給手段）でなくても良く、家庭用電源（第１の電力供給手段）からの供給、例えば、外気供給ダクト３の内部壁面若しくは外部壁面に沿って設置された電灯線によって、換気装置１の電源基板と接続され、換気装置１から供給される用にしても良く、更に、電池（第１の電力供給手段）と家庭用電源（第２の電力供給手段）とを切り換えて電力を供給しても良い。
【００６５】
煙センサ１１ａ及び感熱センサ１１ｂは、例えば、部屋Ｒ１にて火災が発生した場合に、検知した濃度又は温度が所定値より高く、所定値以上の濃度又は温度の検知時間が所定時間より長い場合に、ブザー１２を鳴らして、警報を発する。
【００６６】
導入風路６の送風機Ｆ１と複数の外気供給ダクト３との間は、複数の外気供給ダクト３に外気が供給される共通の給気室とされており、この導入風路６の送風機Ｆ１と複数の外気供給ダクト３との間に、火災が発生したことを通報する通報手段としてのブザー１２が設置されている。ブザー１２が導入風路６の送風機Ｆ１と複数の外気供給ダクト３との間に設置されることによって、ブザー１２が鳴動したときの警報音が部屋Ｒ１、Ｒ２に伝達される。このブザー１２の代わりに、所定の音声を出力するマイクロコンピュータ及び増幅器を備えたスピーカ（音響装置）を適用することもできる。このような音響装置を用いれば、入力装置に各種再生装置或いは音声入力装置及び送受信器等を接続して、通常は建物内部で音響・放送等を流し、建物内の異常発生時にその状態を所定の場所や近隣等に通報することもできる。
【００６７】
換気装置本体内部で、送風機Ｆ１と外気供給ダクト３との間にブザー１２を設置することにより、ブザー１２から発せられた音が供給ダクト３を通して、各部屋Ｒ１，Ｒ２に伝達される。そのため、各部屋にブザー（通報手段）を設けなくても良く、施工が行いやすいと共に、安価に火災の報知が行える。
【００６８】
尚、ブザー１２或いはスピーカ等を設置する場合には、図１、図２、図３の導入風路６の送風機Ｆ１と複数の外気供給ダクト３との間に設けても良い。
【００６９】
又、図１乃至図４の換気システムにおいて、給気グリル９若しくは排気グリル１０に、消火設備や散水装置等を設置することも可能であり、火災の発生と共に行うべき初期消火に好適であると共に、不法侵入者に対する威嚇に好適であり、消火剤に着色料や特殊薬品等を用いれば侵入者の特定にも有利である。
【００７０】
又、煙センサ１１ａと感熱センサ１１ｂを設けたが、煙センサ１１ａのみでも良く、又、感熱センサ１１ｂのみを設置する構成でも良い。
【００７１】
更に、上記の図１乃至図４の実施の形態において、換気手段は、天井に隠蔽して設置するタイプの換気装置１や、天井から排気開口部２０が臨む換気装置１の他に、浴室換気装置、排気ファン、若しくは建物の所定部分に設置されて集中的に換気を行う集中型換気装置の何れであっても良い。
【００７２】
煙センサとは、ガス濃度を検知するガス濃度センサ、臭気センサ等も含まれ、煙、ガスの濃度等の検知を行う全てが含まれる。
【００７３】
更に、前記検知手段は、熱センサ、人体センサ、音センサの何れかでっても良く、このような多様なセンサを用いることにより、火災、侵入者等の各種の異常を検知できる。
【００７４】
更に、通報手段は、ブザー１２やスピーカ等の音響装置や、ランプやストロボ等の発光装置の少なくともいずれかであるので、火災や侵入者の侵入時に音や光を点灯・点滅させて威嚇することができる。
【００７５】
このような多様な換気手段には、建物内外の異常を検知するようにしても良い。建物外部の異常を検出するには、第２排気ダクト５の排気口部や建物外部の壁面、軒下等に感熱センサや焦電センサ等を設置し、換気装置１とこれらのセンサと接続すると、建物外部での放火等や隣家の火災等が就寝中や在室中などにあった場合に、延焼や類焼の危険をいち早く通報できる。
【００７６】
尚、排気グリル（排気口）１０に煙センサ１１ａを設けない構成でも良く、排気用の送風機Ｆ２の上流側に設置することにより、図４のように室内空気吸込口が複数ある場合であっても、装置本体内に煙センサを設置することにより、吸込口が複数あっても、１つの煙センサのみで火災を検知できる。
【００７７】
更に、図１〜図４に記載の換気装置１は外気を室内に供給するに当たり、上流側に熱交換器Ａ、下流側に送風機Ｆ１があり、室内空気の排気に対しては、送風機Ｆ２の下流側に熱交換器Ａがあるが、その位置関係はこれに限定されるものではなく、外気を供給するに当たり、下流側に熱交換器Ａを配置し、室内空気の排気に対しては送風機Ｆ２の上流側に熱交換器Ａを設けるような構成でも良い。又、送風機Ｆ１，Ｆ２は単一のモーターで駆動しても、それぞれ独立のモーターで駆動しても良い。
（第５の実施の形態）
図５は第５の実施の形態を示すものであり、この換気システムの換気手段は、パイプファン３０により構成されている。この実施の形態の換気システムは、排気側のパイプファン３０により構成され、パイプファン３０に異常検知手段としての感熱センサ３１と通報手段としてのブザー３２が設置されている。異常検知手段は煙センサや臭いセンサでも良い。ブザー３２は天井３３に設置されていても良い。
（第６の実施の形態）
図６は第６の実施の形態を示すものであり、この換気システムの換気手段は、パイプファン３４により構成されている。この実施の形態の換気システムは、排気側のパイプファン３４により構成され、パイプファン３４に異常検知手段としての感熱センサ３１と通報手段としてのブザー３２が設置されている。ブザー３２は天井３３に設置されていても良い。
（第７の実施の形態）
図７は第７の実施の形態を示すものであり、この換気システムの換気手段は、パイプファン３０、３４により構成されている。この実施の形態の換気システムは、排気側のパイプファン３０、３４により構成され、給気側のパイプファン３０に異常検知手段としての感熱センサ３１と通報手段としてのブザー３２が設置されている。排気側のパイプファン３４に異常検知手段として煙センサ３５や臭いセンサを設置して良い。ブザー３２は天井３３に設置されていても良い。
（第８の実施の形態）
図８は第８の実施の形態を示すものであり、この換気システムの換気手段は、建物の天井３６に設置された中間ダクトファン３７により構成され、換気システムは、部屋Ｒ１、Ｒ２の天井に設けられた排気口３８、排気ダクト３９、４０により構成されている。パイプファン３７に異常検知手段としての感熱センサ３１と通報手段としてのブザー３２が設置されている。ブザー３０は天井３６に設置されていても良い。
（換気装置）
図９は異常検知手段と警報手段を装備した換気装置４０を示す。この換気装置４０の筐体４１は取付金具４２及びボルト４３を介して天井壁４４に取り付けられている。換気装置４０の下方には、天井パネル４５に形成された開口部４６が設けられており、開口部４６は蓋部４７によって開閉可能に閉鎖されている。蓋部４７を開けると換気装置４０の調整等が可能になっている。換気装置４０の前後の側壁部には建物の外側の空気を建物内部に取り入れるための給気口部４８，４９と建物の内部の空気を建物外部に排出する排気口部５０，５１とが形成されている。給気口部４８，４９と排気口部５０，５１にはそれぞれダクト５２〜５５が接続されている。給気口部４８にはダクト５２が接続され、排気口部５０にはダクト５５が接続されている。
【００７８】
ダクト５２，５４は、建物の入り口の上部の壁部に取り付けられた給排気口部（図示省略）に接続されており、ダクト５２，５４の給排気口部の端部は建物の外部に通じている。ダクト５３の部屋側の端部は部屋Ｒ１、Ｒ２の天井部の給気グリル１０（図１参照）に接続されており、建物の外側の空気を部屋Ｒ１、Ｒ２に供給する。
【００７９】
換気装置４０の筐体４１の内部には、給気系と排気系を仕切る仕切壁５６が形成されており、仕切壁５６にモーター５７が取り付けられている。仕切壁５６の上部の給気系側の空間にはファンケース５８が取り付けられている。ファンケース５８には空気を吸引するための開口部５９が形成されている。仕切壁５６の排気系側の空間にはファンケース６０が取り付けられており、ファンケース６０には室内側の空気を吸引する開口部６１が形成されている。
【００８０】
モーター５７の回転軸は仕切壁５６の上下に突出しており、回転軸の両方にシロッコファンと称される遠心送風機６２，６３が取り付けられている。仕切壁５６の中央側の端部には熱交換素子６４が収納されている。熱交換素子６４は建物外部から建物内部に給気される空気ＡＲ１を通す通路Ｐ１と、建物内部から建物外部に排気される空気ＡＲ２を通す通路Ｐ２とがそれぞれ多数形成されている。この熱交換素子６４は、一定方向に延びる溝を有する波形の板を、溝の方向が直交するように多数積層して形成したものであり、周知の構成であるので、詳細な説明を省略する。
【００８１】
熱交換素子６４が設置された空間のうち、排気空気ＡＲ２が通る排気風路には、火災のときの煙を検知する異常検知手段としての煙センサ１１が配設されている。  また、筐体４１の底部には、火災が発生したことを通報する通報手段としてのブザー１２とが、設置されている。
【００８２】
煙センサ１１及びブザー１２（通報手段）は、電池（第２の電力供給手段）に接続され、この電池から煙センサ１１やブザー１２に電力が供給されるので、万一停電などが発生しても、電池から煙センサ１１やブザー１２に電力が供給されるので、異常監視や異常通報が継続される。
【００８３】
なお、煙センサ１１やブザー１２への電力供給は、電池（第２の電力供給手段）でなくても良く、家庭用電源（第１の電力供給手段）からの供給、例えば、外気供給ダクト３の内部壁面若しくは外部壁面に沿って設置された電灯線によって、換気装置１の電源基板と接続され、換気装置１から供給される用にしても良く、更に、電池（第１の電力供給手段）と家庭用電源（第２の電力供給手段）とを切り換えて電力を供給しても良い。
【００８４】
尚、煙センサに代えて感熱センサを設けても良い。換気装置４０は常時駆動されており、給気用のダクト５３から図示しない分岐部材を介して室内に給気され、各室内のドア下部に設けられたアンダーカットを通して、天井面に設けた図示しない室内空気口より吸い込まれて排気口５１に戻るため、煙センサを全ての部屋に設置しなくても、火災の検出を常時行える。
（浴室用換気装置）
図１０は換気手段としての浴室換気装置８０の構成を示す。浴室換気装置８０は、浴室天井８１の取付開口部８２内に配設され、浴室換気装置８０の周囲に矩形の枠体８３Ａが取り付けられており、この枠体８３Ａが浴室天井８１の上の天井壁８４に取り付けられたアンカーボルト８５に支持されている。
【００８５】
浴室換気装置８０は、入浴前の予備暖房モード、衣類の乾燥を行う乾燥モード、涼風モード、換気モードを有する浴室空調装置である。換気モードは、浴室内の換気を局所的に行う換気モードと、２４時間駆動して浴室内を２４時間換気すると共に、住宅全体の容積に対して０．５回／ｈを満たす換気若しくはその一部を行う建物全体の換気モードとを有する。浴室以外の他の室内の空気はガラリやドア下部のアンダーカット部Ｕを通して浴室に集められて排気される。
【００８６】
浴室換気装置８０の浴室内側には浴室の空気を浴室換気装置８０内部に取り込む導入開口部８６が形成されており、この導入開口部８６の中にいわゆるシロッコファンといわれる遠心送風機８７を内蔵するためのファンケース８８が設置されている。
【００８７】
導入開口部８６は空気の入出用開口部を備えた化粧用のフロントパネル８９によりカバーされる。ファンケース８８には空気を導入する吸引開口部９０と空気を排出する排気開口部９１とが形成されており、遠心送風機８７は吸引開口部９０から空気を吸い込んで排気開口部９１から空気を排気するようになっている。
【００８８】
遠心送風機８７には、浴室換気装置８０の状部に設けられたモーターＭ１のシャフトＳが通されており、シャフトＳの先端部はナットにより固定されている。モーターＭ１は、図示しない制御装置の駆動電流により遠心送風機８７を回転させることにより、導入開口部８６及び吸引開口部９０から空気を吸い込んで排気開口部９１から排気する。
【００８９】
ファンケース８８の排気開口部９１の近傍には、異常検知手段としての煙センサ１００が組み込まれている。煙センサ１００は、遠心送風機８７から送り出される空気の流速が早くなるファンケース８８の外周側壁部側に配置されている。警報手段としてのブザーは図示しない建物の中央部通路の天井や壁面等に取り付けられており、煙センサ１００が煙を検知したときに、ブザーを鳴動させる。
【００９０】
浴室換気装置８０においてファンケース８８の排気開口部９１の下流側には、吸い込んだ空気をダクト９２を介して建物外部に排出するための排気風路９３と、吸い込んだ空気をダンパー９４により方向を変えて、浴室内に戻す循環風路９５とが設けられている。循環風路９５と排気風路９３との分岐部にダンパー９４が設けられている。
【００９１】
ダンパー９４は、浴室換気装置８０の状部に設けられた図示しないモーターと、モーターの動力を揺動運動に変換する図示しないギア機構及びダンパー９４の回転軸に設けた図示しないリンク機構により、上下に揺動可能とされ、モーターＭ２が回転した回転数により所定の角度で停止するように制御される。
【００９２】
循環風路９５には、ヒーター９６が設けられており、浴室に環流する空気をヒーター９６で暖めることが出来るようになっている。
【００９３】
浴室換気装置８０の排気風路９３の排気口９７の周縁部には、ダクトジョイント９８が取り付けられる。ダクトジョイント９８は、排気口９７と同形同大の筒体形状を有しており、ダクト９２はダクトジョイント９８の外周部に装着され、図示しないアルミニウム粘着テープによりダクトジョイント９８の外周部に固定される。
【００９４】
この浴室換気装置８０では、モーターＭ１を駆動して遠心送風機８７を回転させると、導入開口部８６及び吸引開口部９０から浴室内の空気が吸い込まれて排気開口部９１から空気が排気される。遠心送風機８７によって２４時間換気により浴室内の空気を吸い込むと、建物内で火災が発生した場合に、発生した煙を感知して、煙センサ１００が作動し、ブザーを鳴動させる。検知手段は、火災特有の燃焼時の臭気を感知する臭いセンサでも良い。本換気装置は２４時間駆動されており、住宅内の空気が吸引開口部９０に集められるため、各部屋に煙センサを設けなくても安価に常時火災の検知を行うことができる。
【００９５】
上述の最良の形態並びに実施例にて説明した換気システムは、複数の室内を連続的又は断続的に２４時間換気を行う換気システムであって、建物内に配置された給気口から室内に給気し、給気された室内空気を循環させて、前記室内空気吸込口に集められるようにし、前記室内空気の吸込口に煙を検知する煙センサ等の火災検知手段（異常検知手段）を備えたことを特徴とする換気システムである。
【００９６】
尚、給気口は自然給気口であっても、送風機により強制的に給気する給気口であっても良い。更に給気口は、装置本体からダクトを介して接続されるような構成でも良い。
【００９７】
このような構成を採用することによって、複数の室内の全てに火災検知手段を設けなくても、火災発生時には、煙が発生し、発生した室内に火災検知器がなくても、発生した煙が、ドアのアンダーカット等のすき間を通して、室内空気と一緒に室内空気吸込口に向かって流れるため、室内空気吸込口に設けた煙センサ等からなる火災検知手段で火災を検知できる。本換気システムは連続的又は断続的に駆動しているため、安価に火災を検知できる。尚、室内空気吸込口は単一でなく複数個も受けても良い。
【産業上の利用可能性】
【００９８】
本発明は、設置の手間やコストがかからずに、建物内の異常を検出して警報を出す換気システム及び換気装置として利用できる。
【００９９】
尚、上記の各実施の形態において、通報手段とはブザー等の警報を発するものだけでなく、消防署や径木外車等への通報を行うようなものでも良く、報知するものであればこれらに限るものではない。尚、本換気システムは空調機能を有する空調システム（空調装置）をも含むものである。
【図面の簡単な説明】
【０１００】
【図１】本発明の第１の実施の形態にかかる換気システムの構成を示す図。
【図２】本発明の第２の実施の形態にかかる換気システムの構成を示す図。
【図３】本発明の第３の実施の形態にかかる換気システムの構成を示す図。
【図４】本発明の第４の実施の形態にかかる換気システムの構成を示す図。
【図５】本発明の第５の実施の形態にかかる換気システムの構成を示す図。
【図６】本発明の第６の実施の形態にかかる換気システムの構成を示す図。
【図７】本発明の第７の実施の形態にかかる換気システムの構成を示す図。
【図８】本発明の第８の実施の形態にかかる換気システムの構成を示す図。
【図９】本発明の第９の実施の形態にかかる換気システムの構成を示す図。
【図１０】本発明の第１０の実施の形態にかかる換気システムの構成を示す図。
【図１１】本発明の異常監視回路と換気装置の電源の接続状態を示す図。
【符号の説明】
【０１０１】
１  換気装置
２  外気導入ダクト
３  外気供給ダクト
４  第１排気ダクト
５  第２排気ダクト
６  給気風路
７  排気風路
９  給気グリル
１０  排気グリル
１１  感熱センサ（異常検知手段）
１２  ブザー（警報手段）
【図１】
2006336982.tif 000003
【図２】
2006336982.tif 000004
【図３】
2006336982.tif 000005
【図４】
2006336982.tif 000006
【図５】
2006336982.tif 000007
【図６】
2006336982.tif 000008
【図７】
2006336982.tif 000009
【図８】
2006336982.tif 000010
【図９】
2006336982.tif 000011
【図１０】
2006336982.tif 000012
【図１１】
2006336982.tif 000013